(57)【要約】【課題】  本発明は、開閉カバーが閉じた状態のときには確実に全個所の係合部で開閉カバーをロックすることができる画像形成装置を提供する。【解決手段】  開閉カバー２１を画像形成装置１０本体に対して閉じた状態で保持するロック手段は、画像形成装置１０本体に設けられた複数のロック部と、開閉カバー２１に設けられ、前記複数のロック部がそれぞれ係合する複数の被ロック部と、を有し、これらがそれぞれ係合する複数の係合部のうちで、第一係合部の第一ロック部２３ａと第一被ロック部２１ａとが係合する第一係合長さ５０ａは、第二係合部の第二ロック部２３ｂと第二被ロック部２１ｂとが係合する第二係合長さ５０ｂよりも長く設定され、且つ、該第二係合部において第二ロック部２３ｂまたは第二被ロック部２１ｂの少なくとも何れか一つに互いの係合位置に引き込む傾斜面２３ｂ２（斜面部）を有することを特徴とする。【選択図】      図６
2020076980.tif 000002
【特許請求の範囲】
【請求項１】
画像形成装置の本体に対して開閉可能に設けられた開閉カバーと、
前記開閉カバーを前記画像形成装置の本体に対して閉じた状態で保持するロック手段と、
を有し、
前記ロック手段は、
前記画像形成装置の本体に設けられた複数のロック部と、
前記開閉カバーに設けられ、前記複数のロック部がそれぞれ係合する複数の被ロック部と、
を有し、
前記複数のロック部と、前記複数の被ロック部とがそれぞれ係合する複数の係合部のうちで、第一係合部の第一ロック部と第一被ロック部とが係合する第一係合長さは、第二係合部の第二ロック部と第二被ロック部とが係合する第二係合長さよりも長く設定され、且つ、前記第二係合部において前記第二ロック部または前記第二被ロック部の少なくとも何れか一つに互いの係合位置に引き込む斜面部を有することを特徴とする画像形成装置。
【請求項２】
前記ロック手段と連動したロック解除部材が前記画像形成装置の本体に備えられていることを特徴とする請求項１に記載の画像形成装置。
【請求項３】
画像形成装置の本体に対して開閉可能に設けられた開閉カバーと、
前記開閉カバーを前記画像形成装置の本体に対して閉じた状態で保持するロック手段と、
を有し、
前記ロック手段は、
前記開閉カバーに設けられた複数のロック部と、
前記画像形成装置の本体に設けられ、前記複数のロック部がそれぞれ係合する複数の被ロック部と、
を有し、
前記複数のロック部と、前記複数の被ロック部とがそれぞれ係合する複数の係合部のうちで、第一係合部の第一ロック部と第一被ロック部とが係合する第一係合長さは、第二係合部の第二ロック部と第二被ロック部とが係合する第二係合長さよりも長く設定され、且つ、前記第二係合部において前記第二ロック部または前記第二被ロック部の少なくとも何れか一つに互いの係合位置に引き込む斜面部を有することを特徴とする画像形成装置。
【請求項４】
前記ロック手段と連動したロック解除部材が前記開閉カバーに備えられていることを特徴とする請求項３に記載の画像形成装置。
【発明の詳細な説明】
【技術分野】
【０００１】
本発明は、電子写真方式を利用したプリンタ、複写機等の画像形成装置に関するものである。
【背景技術】
【０００２】
従来、例えば、特許文献１に記載されているように電子写真方式を利用したプリンタや複写機等の画像形成装置では、開閉カバーと、その開閉カバーをロックするロック部材を備える画像形成装置が提案されている。
【先行技術文献】
【特許文献】
【０００３】
【特許文献１】特開２０１４−３００２４号公報
【発明の概要】
【発明が解決しようとする課題】
【０００４】
しかしながら、特許文献１では、開閉カバーの撓み等によって複数のロック部材のうちで、片方のロック部材が開閉カバーをロックしても他方のロック部材が該開閉カバーをロックできなくなるという懸念があった。
【０００５】
本発明は前記課題を解決するものであり、その目的とするところは、開閉カバーが閉じた状態のときには確実に全個所の係合部で開閉カバーをロックすることができる画像形成装置を提供するものである。
【課題を解決するための手段】
【０００６】
前記目的を達成するための本発明に係る画像形成装置の代表的な構成は、画像形成装置の本体に対して開閉可能に設けられた開閉カバーと、前記開閉カバーを前記画像形成装置の本体に対して閉じた状態で保持するロック手段と、を有し、前記ロック手段は、前記画像形成装置の本体に設けられた複数のロック部と、前記開閉カバーに設けられ、前記複数のロック部がそれぞれ係合する複数の被ロック部と、を有し、前記複数のロック部と、前記複数の被ロック部とがそれぞれ係合する複数の係合部のうちで、第一係合部の第一ロック部と第一被ロック部とが係合する第一係合長さは、第二係合部の第二ロック部と第二被ロック部とが係合する第二係合長さよりも長く設定され、且つ、前記第二係合部において前記第二ロック部または前記第二被ロック部の少なくとも何れか一つに互いの係合位置に引き込む斜面部を有することを特徴とする。
【発明の効果】
【０００７】
本発明によれば、開閉カバーを複数個所で確実にロックでき、開閉カバーの片開きによる誤作動の防止やユーザの操作性を向上させることができる。
【図面の簡単な説明】
【０００８】
【図１】本発明に係る画像形成装置の第１実施形態の構成を示す断面説明図である。
【図２】第１実施形態の画像形成装置の構成を示す斜視説明図である。
【図３】（ａ）〜（ｄ）は第１実施形態において開閉カバーの開放動作を説明する平面説明図である。
【図４】（ａ）は第１実施形態において開閉カバーを閉じた状態を示す断面説明図である。（ｂ）は第１実施形態において開閉カバーを開いた状態を示す断面説明図である。
【図５】（ａ）〜（ｄ）は第１実施形態において開閉カバーの閉鎖動作を説明する平面説明図である。
【図６】（ａ）は第１実施形態において開閉カバーを閉鎖した状態を示す平面説明図である。（ｂ），（ｃ）は開閉カバーの撓み等によりロック部と被ロック部との係合部に位置ズレが生じた様子を示す平面説明図である。
【図７】第１実施形態において開閉カバーに対して第二カバーが開いた状態を示す斜視説明図である。
【図８】（ａ）は第１実施形態において開閉カバーに対して第二カバーを閉じた状態を示す断面説明図である。（ｂ）は第１実施形態において開閉カバーに対して第二カバーを開いた状態を示す断面説明図である。
【図９】（ａ）は第１実施形態において開閉カバーに対して第二カバーを閉じた状態を示す部分側面図である。（ｂ）は第１実施形態において開閉カバーに対して第二カバーを開いた状態を示す部分側面図である。
【図１０】（ａ）は第１実施形態において開閉カバーに対して第二カバーを閉じた状態を示す部分平面図である。（ｂ）は第１実施形態において開閉カバーに対して第二カバーを開いた状態を示す部分平面図である。
【図１１】本発明に係る画像形成装置の第２実施形態において開閉カバーにロック部が設けられた構成を示す斜視説明図である。
【発明を実施するための形態】
【０００９】
［第１実施形態］
先ず、図１〜図10を用いて本発明に係る画像形成装置の第１実施形態の構成について説明する。尚、以下の実施形態では電子写真方式の画像形成装置の一例として、図１に示すように、四個のプロセスカートリッジ１１ａ〜１１ｄが着脱可能なフルカラー電子写真方式の画像形成装置を例示している。
【００１０】
しかしながら、電子写真方式の画像形成装置１０本体に装着するプロセスカートリッジ１１の個数はこれに限定されるものではない。必要に応じて適宜設定されるものである。
【００１１】
例えば、モノクロの画像を形成する画像形成装置１０の場合には、該画像形成装置１０に装着されるプロセスカートリッジ１１の個数は一個である。また、以下説明する実施形態によれば、画像形成装置１０の一態様としてプリンタを例示している。
【００１２】
しかしながら、これに限定されるものではない。例えば、複写機、ファクシミリ装置等の他の画像形成装置や、或いは、これらの機能を組み合わせた複合機等の他の画像形成装置にも適用することができる。
【００１３】
＜画像形成装置＞
図１は電子写真方式のカラー画像形成装置の構成を示す断面説明図である。図１において、画像形成装置１０は、プロセスカートリッジ１１ａ〜１１ｄを備え、該プロセスカートリッジ１１ａ〜１１ｄは、各々ドラム状の電子写真感光体からなる像担持体としての感光ドラム１ａ〜１ｄを備えている。尚、説明の都合上、各プロセスカートリッジ１１ａ〜１１ｄを代表して単にプロセスカートリッジ１１を用いて説明する場合もある。他の画像形成プロセス手段についても同様である。
【００１４】
各感光ドラム１は、帯電手段となる帯電ローラ２ａ〜２ｄにより所定の極性・電位に一様に帯電処理され、次いで、像露光手段となるレーザスキャナ３により画像情報に応じたレーザ光が照射されて像露光を受ける。これにより各感光ドラム１の表面に目的のカラー画像の色成分像に対応した静電潜像が形成される。次いで、その静電潜像は現像位置において現像手段となる現像装置４ａ〜４ｄにより現像剤が供給されてトナー像として現像されて可視化される。
【００１５】
各感光ドラム１の表面上に形成されたトナー像は、該感光ドラム１の表面と中間転写ベルト５の外周面との当接部を通過する過程で一次転写手段となる一次転写ローラ９の作用により該中間転写ベルト５の外周面上に一次転写される。そして、四色のトナー像が中間転写ベルト５の外周面上に順次重ねて転写されることで目的のカラー画像に対応した合成カラー画像が得られる。
【００１６】
中間転写ベルト５の外周面上の四色のトナー像は、該中間転写ベルト５の外周面と、二次転写手段となる二次転写ローラ１２の表面との間の二次転写ニップ部を通過する過程で以下の通りである。給送カセット８に積載されたシートＳが給送手段となる給送ローラ６と分離パッド１３との協働により一枚ずつ分離給送される。そして、レジストローラ７により所定のタイミングで前記二次転写ニップ部に搬送されるシートＳの表面に該二次転写ローラ１２に二次転写バイアス電圧が印加されることで一括して二次転写される。
【００１７】
その後、四色のトナー像を担持したシートＳは、定着手段となる定着装置１４の定着ローラと加圧ローラとの間の定着ニップ部に導入される。そして、該定着ローラと加圧ローラとにより挟持搬送される間に加熱及び加圧されることにより四色のトナーが溶融混色してシートＳに熱定着される。以上の動作により、フルカラーのプリント画像が形成される。
【００１８】
＜ロック手段＞
次に、図２〜図６を用いて画像形成装置１０本体（画像形成装置の本体）に対して開閉可能に設けられた開閉カバー２１を該画像形成装置１０本体に対して閉じた状態で保持するロック手段の構成について説明する。
【００１９】
図２に示すように、画像形成装置１０本体には、開閉カバー２１及びロック解除部材となるロック解除ボタン２８が設けられている。開閉カバー２１には、該開閉カバー２１に対して開閉可能に構成された第二カバー３０が備えられている。第二カバー３０は、開閉カバー２１が画像形成装置１０本体に対して閉じた状態において開放可能に構成されている。
【００２０】
図３はロック手段の構成を示す平面説明図である。図３に示すように、画像形成装置１０本体に対して開閉可能に設けられる開閉カバー２１を有する。更に、画像形成装置１０本体に設けられた図示しない支持部材により図３（ａ）〜（ｄ）の左右方向に移動可能に支持されたロック手段となるロック部材２３を有する。更に、該ロック部材２３を図３（ａ）〜（ｄ）の左方向に常時付勢する付勢手段となるコイルバネからなる付勢部材２５を有する。更に、該ロック部材２３を付勢部材２５の付勢力に抗して図３（ａ）〜（ｄ）の右方向に押圧してロックを解除するロック解除ボタン２８とを有する。
【００２１】
画像形成装置１０本体側に移動可能に設けられたロック部材２３には、複数のロック部として、第一ロック部２３ａと第二ロック部２３ｂとが設けられている。ロック部材２３の一端部と、画像形成装置１０本体の装置フレームに設けられた係止部１０ａとの間にはコイルバネからなる付勢部材２５の両端部が係止されている。
【００２２】
一方、開閉カバー２１には、複数の被ロック部として、第一被ロック部２１ａと第二被ロック部２１ｂとが設けられている。図３（ａ）に示すように、画像形成装置１０本体側に移動可能に設けられたロック部材２３の第一ロック部２３ａと、開閉カバー２１に設けられた第一被ロック部２１ａとが係合する。更に、該ロック部材２３の第二ロック部２３ｂと、開閉カバー２１に設けられた第二被ロック部２１ｂとが係合する。これにより開閉カバー２１が画像形成装置１０本体に対して閉じた状態で保持される。
【００２３】
ロック部材２３は、画像形成装置１０本体の外装部材２０に設けられたロック解除ボタン２８と連動している。開閉カバー２１が図３（ａ）に示す閉じた状態からユーザによりロック解除ボタン２８が付勢部材２５の付勢力に抗して図３（ｂ）の矢印ａ方向に押される。すると、図３（ｂ）に示すように、ロック部材２３が図３（ｂ）の矢印ｂ方向に移動して第一ロック部２３ａと第一被ロック部２１ａとの係合が解除する。更に、第二ロック部２３ｂと第二被ロック部２１ｂとの係合が解除される。これによりロック手段による開閉カバー２１のロックが解除される。
【００２４】
開閉カバー２１のロックが解除されると、該開閉カバー２１は、図３（ｃ）に示すように、開方向（図３（ｃ）の下方向）に移動して画像形成装置１０本体に対して開放される。
【００２５】
一方、ユーザによりロック解除ボタン２８が付勢部材２５の付勢力に抗して図３（ｂ）の矢印ａ方向に押されなくなると、該付勢部材２５の付勢力によりロック部材２３は図３（ｄ）の矢印ｃ方向に移動して図３（ａ）に示すロック位置に戻る。
【００２６】
尚、ロック部材２３は、付勢部材２５の付勢力によって図３（ａ）の矢印ｃ方向（ロック位置方向）に常時、付勢されている。このためユーザがロック解除ボタン２８を付勢部材２５の付勢力に抗して図３（ｂ）の矢印ａ方向に押さない限りは図３（ａ）に示すロック位置を維持する。
【００２７】
また、図４（ａ），（ｂ）に示すように、開閉カバー２１は、画像形成装置１０本体の装置フレームに設けられた回動軸１０ｄを中心に回動可能に支持されている。開閉カバー２１には、画像形成装置１０本体の装置フレームに設けられた回動軸１０ｃを中心に回動可能なリンク部材４０の一端部に設けられた軸部４０ｂが図示しないスライド手段によりスライド可能に連結されている。
【００２８】
リンク部材４０は、画像形成装置１０本体に設けられた図示しない支持手段により図４（ａ），（ｂ）の左右方向にスライド移動可能に設けられたロッド部材４５と連結されている。ロッド部材４５のリンク部材４０側の端部には、図４（ａ），（ｂ）の上下方向に長い方形状の貫通穴４５ｂが設けられている。該貫通穴４５ｂ内には、該リンク部材４０に突出して設けられた軸部４０ａが図４（ａ），（ｂ）の上下方向に摺動自在に挿通されている。
【００２９】
ロッド部材４５は、開閉カバー２１が図４（ａ）に示す閉じた状態において以下の通りである。一端部が画像形成装置１０本体の装置フレームに設けられた係止部１０ｂに係止されたコイルバネからなる付勢部材４７の他端部が該ロッド部材４５の当接部４５ａに当接する。これによりロッド部材４５は、該付勢部材４７の付勢力により図４（ａ）の矢印ｄ方向に付勢されている。
【００３０】
そして、図３（ｂ）に示すように、第一ロック部２３ａと第一被ロック部２１ａとの係合が解除し、第二ロック部２３ｂと第二被ロック部２１ｂとの係合が解除されて、ロック手段による開閉カバー２１のロックが解除される。すると、付勢部材４７の付勢力によりロッド部材４５が図４（ｂ）の矢印ｄ方向に押し出される。
【００３１】
そして、該ロッド部材４５の端部に設けられた貫通穴４５ｂ内に挿通された軸部４０ａを図４（ｂ）の矢印ｄ方向に押すことで、リンク部材４０が画像形成装置１０本体の装置フレームに設けられた回動軸１０ｃを中心に図４（ｂ）の時計回り方向に回動する。これにより開閉カバー２１が画像形成装置１０本体の装置フレームに設けられた回動軸１０ｄを中心に図４（ｂ）の時計回り方向に回動して該開閉カバー２１が開く。
【００３２】
＜開閉カバーの閉じ動作＞
次に、図５及び図６を用いて開閉カバー２１を閉じる際のロック部材２３の動作について説明する。本実施形態では、図６（ａ）に示すように、画像形成装置１０本体に設けられた複数のロック部となるロック部材２３に設けられた第一ロック部２３ａと第二ロック部２３ｂとが以下の通り係合する。開閉カバー２１に設けられた複数の被ロック部となる第一被ロック部２１ａと第二被ロック部２１ｂとがそれぞれ係合する。
【００３３】
これらの複数の係合部のうちで、第一係合部の第一ロック部２３ａと第一被ロック部２１ａとが係合する第一係合長さ５０ａは以下の通りである。第二係合部の第二ロック部２３ｂと第二被ロック部２１ｂとが係合する第二係合長さ５０ｂよりも長く設定されている。
【００３４】
図５（ａ）〜（ｄ）及び図６（ａ）〜（ｃ）に示すように、ロック部材２３に設けられた第一ロック部２３ａと、開閉カバー２１に設けられた第一被ロック部２１ａとの互いの係合部２３ａ１，２１ａ１が第一係合部である。該第一係合部のロック部材２３の移動方向（図６（ａ）の左右方向）の係合長さ５０ａは以下の通りである。
【００３５】
該ロック部材２３に設けられた第二ロック部２３ｂと、該開閉カバー２１に設けられた第二被ロック部２１ｂとの互いの係合部２３ｂ１，２１ｂ１が第二係合部である。該第二係合部のロック部材２３の移動方向（図６（ａ）の左右方向）の係合長さ５０ｂよりも長く設定されている。本実施形態の係合長さ５０ｂは、第二ロック部２３ｂの係合部２１ｂ１から引き込み用の傾斜面２３ｂ２に至る該第二係合部のロック部材２３の移動方向（図６（ａ）の左右方向）の長さである。
【００３６】
更に、第一ロック部２３ａの係合部２３ａ１に連続して引き込み用の鉛直方向の平面からなる当接面２３ａ２と、傾斜面２３ａ３とが設けられている。また、第二ロック部２３ｂの係合部２３ｂ１に連続して引き込み用の傾斜面２３ｂ２，２３ｂ３が設けられている。
【００３７】
第二係合部において、ロック部材２３に設けられた第二ロック部２３ｂまたは開閉カバー２１に設けられた第二被ロック部２１ｂの少なくとも何れか一つに互いの係合位置に引き込む斜面部が設けられる。本実施形態では、該斜面部は第二ロック部２３ｂの傾斜面２３ｂ２により構成されている。
【００３８】
図５（ａ）に示す状態からユーザが開閉カバー２１を画像形成装置１０本体の装置フレームに設けられた回動軸１０ｄを中心に回動して図５（ｂ）の矢印ｅ方向に閉じる。すると、該開閉カバー２１に設けられた第一被ロック部２１ａが図６（ａ）に示すロック部材２３に設けられた第一ロック部２３ａの傾斜面２３ａ３と接触し、付勢部材２５の付勢力に抗してロック部材２３を図５（ｂ）の矢印ｂ方向に移動させながら摺動する。
【００３９】
一方、該開閉カバー２１に設けられた第二被ロック部２１ｂが該ロック部材２３に設けられた第二ロック部２３ｂの傾斜面２３ｂ３と接触し、付勢部材２５の付勢力に抗してロック部材２３を図５（ｂ）の矢印ｂ方向に移動させながら摺動する。
【００４０】
更に、ユザーが開閉カバー２１を図５（ｂ）の矢印ｅ方向に閉める力により付勢部材２５の付勢力に抗して第一被ロック部２１ａと第二被ロック部２１ｂとは以下の通りである。それぞれロック部材２３に設けられた第一ロック部２３ａの傾斜面２３ａ３と、該ロック部材２３に設けられた第二ロック部２３ｂの傾斜面２３ｂ３とに沿って摺動移動して該ロック部材２３を図５（ｂ）の矢印ｂ方向に移動する。
【００４１】
そして、ロック部材２３が図５（ａ）に示すロック位置から図５（ｃ）に示すロック解除位置まで移動する。開閉カバー２１が更に図５（ｃ）の矢印ｅ方向に閉じられる。すると、第一被ロック部２１ａが第一ロック部２３ａによってロック可能な位置にくる。すると、付勢部材２５の付勢力によりロック部材２３が図５（ｄ）の矢印ｃ方向に移動して図５（ｃ）に示すロック解除位置から図５（ｄ）に示すロック位置に移動する。
【００４２】
これにより図５（ｄ）に示すように、ロック部材２３に設けられた第一ロック部２３ａと、開閉カバー２１に設けられた第一被ロック部２１ａとの互いの係合部２３ａ１，２１ａ１（第一係合部）が係合する。更に、該ロック部材２３に設けられた第二ロック部２３ｂと、該開閉カバー２１に設けられた第二被ロック部２１ｂとの互いの係合部２３ｂ１，２１ｂ１（第二係合部）が係合する。これによりロック部材２３により開閉カバー２１を画像形成装置１０本体に対してロックする。
【００４３】
＜位置ズレ＞
次に、図６（ｂ），（ｃ）を用いて、例えば、開閉カバー２１の撓み等によりロック手段に位置ズレが生じた場合の動作について説明する。図６（ｂ），（ｃ）はロック部材２３に設けられた第一ロック部２３ａと第二ロック部２３ｂと、該開閉カバー２１に設けられた第一被ロック部２１ａと第二被ロック部２１ｂとの相対位置にズレが生じた場合の一例を示す。
【００４４】
図６（ｂ）に示すように、例えば、開閉カバー２１の撓み等により開閉カバー２１に設けられた第一被ロック部２１ａは、ロック部材２３に設けられた第一ロック部２３ａにロック可能な位置にある。しかし、該開閉カバー２１に設けられた第二被ロック部２１ｂは、該ロック部材２３に設けられた第二ロック部２３ｂによってロック可能な位置にない。
【００４５】
図６（ｂ）に示す状態で付勢部材２５の付勢力によりロック部材２３が図６（ｂ）の矢印ｃ方向に移動する際には以下の通りである。本実施形態では、ロック部材２３に設けられた第一ロック部２３ａと、開閉カバー２１に設けられた第一被ロック部２１ａとの互いの係合部２３ａ１，２１ａ１（第一係合部）を考慮する。係合部２３ａ１，２１ａ１（第一係合部）のロック部材２３の移動方向（図６（ａ）の左右方向）の第一係合長さ５０ａは以下の通りである。
【００４６】
ロック部材２３に設けられた第二ロック部２３ｂと、開閉カバー２１に設けられた第二被ロック部２１ｂとの互いの係合部２３ｂ１，２１ｂ１（第二係合部）を考慮する。係合部２３ｂ１，２１ｂ１（第二係合部）のロック部材２３の移動方向（図６（ａ）の左右方向）の第二係合長さ５０ｂよりも長く設定されている。
【００４７】
これにより開閉カバー２１の撓み等により開閉カバー２１に設けられた第二被ロック部２１ｂが、該ロック部材２３に設けられた第二ロック部２３ｂによってロック可能な位置にない状態からロック可能な位置になるまで引き込む自由度を持たせることが出来る。
【００４８】
更に、ロック可能な位置にない状態の第二被ロック部２１ｂと第二ロック部２３ｂとは、該第二ロック部２３ｂに設けられた斜面部となる傾斜面２３ｂ２に第二被ロック部２１ｂが接触し、付勢部材２５の付勢力により摺動して互いの係合位置に引き込まれる。
【００４９】
ロック部材２３の第二ロック部２３ｂに設けられた引き込み用の斜面部となる傾斜面２３ｂ２に沿って開閉カバー２１に設けられた第二被ロック部２１ｂが摺動して図６（ｂ）の矢印ｅ方向に移動する。これにより該第二被ロック部２１ｂが該ロック部材２３の第二ロック部２３ｂの係合部２３ｂ１によるロック可能位置まで引き込まれる。
【００５０】
これにより図６（ａ）に示すように、開閉カバー２１は、第一被ロック部２１ａと第二被ロック部２１ｂとが、それぞれロック部材２３に設けられた第一ロック部２３ａと第二ロック部２３ｂとの二箇所でロックされる。
【００５１】
逆に、図６（ｃ）に示すように、該開閉カバー２１に設けられた第二被ロック部２１ｂは、該ロック部材２３に設けられた第二ロック部２３ｂによってロック可能な位置にある。しかし、該開閉カバー２１に設けられた第一被ロック部２１ａは、ロック部材２３に設けられた第一ロック部２３ａにロック可能な位置にない。
【００５２】
この場合には、付勢部材２５の付勢力によりロック部材２３が図６（ｃ）の矢印ｃ方向に付勢される。そして、該ロック部材２３の第一ロック部２３ａに設けられた鉛直方向の平面からなる当接面２３ａ２が開閉カバー２１に設けられた第一被ロック部２１ａに当接して圧接される。これによりロック部材２３を図６（ｃ）に示すロック解除位置から図６（ｃ）の矢印ｃ方向に移動することができず、該ロック部材２３により開閉カバー２１をロックすることが出来ない。
【００５３】
図６（ｃ）に示すように、ロック部材２３によって開閉カバー２１がロックされず、該開閉カバー２１が画像形成装置１０本体に対して完全に閉じない場合は以下の通りである。図４（ｂ）に示すように、画像形成装置１０本体の係止部１０ｂに一端が係止された付勢部材４７の付勢力によりロッド部材４５が押し出されて開閉カバー２１が開く。その後、ユーザが再度、開閉カバー２１を閉める動作を行なう。
【００５４】
このように、ロック部材２３の第一ロック部２３ａに設けられた鉛直方向の平面からなる当接面２３ａ２を考慮する。更に、第二ロック部２３ｂに設けられた傾斜面２３ｂ２を考慮する。更に、開閉カバー２１に設けられた第一被ロック部２１ａと第二被ロック部２１ｂを考慮する。そして、当接面２３ａ２と傾斜面２３ｂ２と、第一被ロック部２１ａと第二被ロック部２１ｂとにより該ロック部材２３の位置を制御する。
【００５５】
これにより開閉カバー２１に設けられた第一被ロック部２１ａと第二被ロック部２１ｂとのうち何れか一方のみがロック部材２３に設けられた第一ロック部２３ａ、或いは、第二ロック部２３ｂにロックされることがない。これにより開閉カバー２１の片開きによる誤作動の防止やユーザの操作性を向上させることができる。
【００５６】
また、図６（ａ）に示すように、開閉カバー２１が閉じた状態にある場合は以下の通りである。該開閉カバー２１に設けられた第一被ロック部２１ａと第二被ロック部２１ｂとの両方がロック部材２３に設けられた第一ロック部２３ａと第二ロック部２３ｂとによりそれぞれロックされる。
【００５７】
＜第二カバー＞
次に、図７〜図10を用いて開閉カバー２１に対して開閉可能に設けられた第二カバー３０の構成について説明する。図７及び図８（ａ），（ｂ）に示すように、開閉カバー２１には、該開閉カバー２１に対して回動軸３０ａを中心に回動して開閉される第二カバー３０が設けられている。
【００５８】
図７及び図８（ａ），（ｂ）に示すように、開閉カバー２１には、回動軸３７ａを中心に回動可能で、且つ図示しない付勢手段により該回動軸３７ａを中心に図８（ａ）の時計回り方向に付勢されたロック部材３７が設けられている。図８（ａ）に示すように、ロック部材３７の爪部３７ｂが第二カバー３０の開放側端部に設けられた係止溝３０ｂに係止されることで第二カバー３０を開閉カバー２１に対して閉じた状態にロックする。
【００５９】
図５（ａ）に示すように、開閉カバー２１が開いた状態のときは、図８（ａ）に示すように、ロック部材３７の爪部３７ｂが第二カバー３０の係止溝３０ｂに係止されて該第二カバー３０を閉じた状態でロックする。
【００６０】
また、図５（ｄ）に示すように、開閉カバー２１が閉じた状態のときは以下の通りである。開閉カバー２１が閉状態となると、ロック部材３７の図８（ａ），（ｂ）に示す左側に設けられた斜面からなる当接部３７ｃが画像形成装置１０本体内部に設けられた図示しない当接部と当接する。これにより該ロック部材３７が回動軸３７ａを中心に図８（ｂ）の反時計回り方向に回動してロック部材３７の爪部３７ｂと、第二カバー３０の係止溝３０ｂとの係止を解除して該第二カバー３０が回動軸３０ａを中心に回動して開閉可能となる。
【００６１】
図９（ａ），（ｂ）に示すように、第二カバー３０には、開閉カム３２が設けられており、該開閉カム３２は、第二カバー３０の開閉動作に連動して回動軸３０ａを中心に回動する。図９（ａ），（ｂ）及び図10（ａ），（ｂ）に示すように、開閉カム３２には凹部３２ａが設けられており、該凹部３２ａから該開閉カム３２の表面３２ｂに連続する傾斜面３２ｃが設けられている。
【００６２】
更に、開閉カバー２１には、図10（ａ），（ｂ）に示すように、回動軸３４ａを中心に回動可能に設けられ、図示しない付勢手段により回動軸３４ａを中心に図10（ａ），（ｂ）の反時計回り方向に常時、付勢された押圧部材３４が設けられている。
【００６３】
押圧部材３４は、図９（ａ），（ｂ）及び図10（ａ），（ｂ）に示すように、第二カバー３０と一体的に回動軸３０ａを中心に回動する開閉カム３２の表面３２ｂと、傾斜面３２ｃとの間で該回動軸３０ａを中心とした円周上を摺動移動する。押圧部材３４は、開閉カム３２を開閉カバー２１に対して、常時、図10（ａ），（ｂ）の左から右方向に押圧する。
【００６４】
図９（ａ）及び図10（ａ）に示すように、第二カバー３０が開閉カバー２１に対して閉じた状態のときは以下の通りである。図９（ａ）及び図10（ａ）に示すように、開閉カム３２を図10（ａ）の左から右方向に押圧する押圧部材３４が該開閉カム３２の表面３２ｂと凹部３２ａとの間の傾斜面３２ｃを押圧する。これにより押圧部材３４の押圧力は、第二カバー３０の閉じた状態を維持する方向に作用する。
【００６５】
一方、第二カバー３０を回動軸３０ａを中心に回動して該第二カバー３０を開閉カバー２１に対して開閉する際には以下の通りである。押圧部材３４が開閉カム３２の表面３２ｂを押圧することで摩擦力を発生させる。これにより第二カバー３０が図９（ａ）及び図10（ａ）に示す閉じた状態から図９（ｂ）及び図10（ｂ）に示す開いた状態への急激な移動を防止している。
【００６６】
開閉カム３２の形状や該開閉カム３２を押圧する押圧部材３４の押圧力を適宜設定することで第二カバー３０を開閉する際に必要とする力を調整することができる。
【００６７】
本実施形態では、開閉カバー２１に対して開閉可能な第二カバー３０及び該第二カバー３０に付随する各種部品が該開閉カバー２１のロック動作を阻害することはない。また、開閉カバー２１が閉じた状態のときには以下の通りである。図５（ｄ）に示すように、ロック部材２３の第一ロック部２３ａと第二ロック部２３ｂと、開閉カバー２１の第一被ロック部２１ａと第二被ロック部２１ｂとの二箇所の係合部でそれぞれ開閉カバー２１をロックすることができる。
【００６８】
［第２実施形態］
次に、図11を用いて本発明に係る画像形成装置の第２実施形態の構成について説明する。尚、前記第１実施形態と同様に構成したものは同一の符号、或いは符号が異なっても同一の部材名を付して説明を省略する。
【００６９】
前記第１実施形態では、図３及び図５に示すように、第一ロック部２３ａと第二ロック部２３ｂとを有するロック部材２３が画像形成装置１０本体側に設けられた場合の一例について説明した。
【００７０】
本実施形態では、図11に示すように、複数のロック部となる第一ロック部２３ａと第二ロック部２３ｂとを有するロック手段となるロック部材２３が画像形成装置１０本体に対して開閉可能に設けられた開閉カバー２１側に設けられる。
【００７１】
一方、該第一ロック部２３ａと第二ロック部２３ｂとにそれぞれ係合する複数の被ロック部としての図示しない第一、第二被ロック部が画像形成装置１０本体側に設けられた場合の一例を示す。
【００７２】
図11は、開閉カバー２１にロック部材２３が設けられた斜視説明図である。本実施形態では、図３及び図５に示すロック解除部材となるロック解除ボタン２８や付勢部材２５も開閉カバー２１側に設けられている。そして、該ロック解除ボタン２８に連動してロック部材２３が動作する。
【００７３】
本実施形態においても前記第１実施形態と同様に開閉カバー２１が画像形成装置１０本体に対して閉じた状態では以下の通りである。図11に示すロック部材２３に設けられた第一ロック部２３ａと第二ロック部２３ｂと、画像形成装置１０本体側に設けられた図示しない第一被ロック部と第二被ロック部とがそれぞれ係合して二箇所でロックされる。
【００７４】
本実施形態においても複数のロック部となる第一ロック部２３ａと第二ロック部２３ｂと、複数の被ロック部となる図示しない第一被ロック部と第二被ロック部とがそれぞれ係合する。これらの複数の係合部のうちで、第一係合部の第一ロック部２３ａと図示しない第一被ロック部とが係合する第一係合長さは以下の通りである。第二係合部の第二ロック部２３ｂと、図示しない第二被ロック部とが係合する第二係合長さよりも長く設定されている。
【００７５】
更に、第二ロック部２３ｂと、図示しない第二被ロック部とが係合する第二係合部において、第二ロック部２３ｂまたは図示しない第二被ロック部の少なくとも何れか一つに互いの係合位置に引き込む斜面部が設けられている。そして、前記第１実施形態と同様に何れか一方の係合部のみがロックされることはないように構成される。他の構成は前記第１実施形態と同様に構成され、同様の効果を得ることが出来る。
【符号の説明】
【００７６】
１０…画像形成装置
２１…開閉カバー
２１ａ…第一被ロック部（複数の被ロック部）
２１ｂ…第二被ロック部（複数の被ロック部）
２３ａ…第一ロック部（複数のロック部）
２３ｂ…第二ロック部（複数のロック部）
２３ｂ２…傾斜面（斜面部）
５０ａ…第一係合長さ
５０ｂ…第二係合長さ
【図１】
2020076980.tif 000003
【図２】
2020076980.tif 000004
【図３】
2020076980.tif 000005
【図４】
2020076980.tif 000006
【図５】
2020076980.tif 000007
【図６】
2020076980.tif 000008
【図７】
2020076980.tif 000009
【図８】
2020076980.tif 000010
【図９】
2020076980.tif 000011
【図１０】
2020076980.tif 000012
【図１１】
2020076980.tif 000013
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
画像形成装置の本体と、
前記本体に設けられた開口を覆う閉じ位置と、前記開口を露出する開き位置と、を取りうるように前記本体に対して軸を中心として回動可能に設けられた開閉カバーと、
前記軸の軸線方向に延びる連結部と、前記連結部を前記軸線方向の他端側へ付勢する付勢部材と、それぞれ前記連結部から前記開閉カバーが前記閉じ位置から前記開き位置に向かう移動方向へ突出した第一凸部及び第二凸部と、を有し、前記開閉カバーを前記閉じ位置に保持する、前記本体に設けられたロック手段と、
を備えた画像形成装置であって、
前記開閉カバーは、前記軸線方向の一端側に設けられた第一被係合部と、前記軸線方向の他端側に設けられた第二被係合部と、を有し、
前記ロック手段の前記第一凸部は、前記軸線方向の前記他端側へ突出し、前記開閉カバーの前記第一被係合部と係合する第一係合部を有し、
前記ロック手段の前記第二凸部は、前記軸線方向の前記他端側へ突出し、前記開閉カバーの前記第二被係合部と係合する第二係合部を有し、
前記第一係合部と前記第二係合部のいずれか一方は、
前記軸線方向において、前記第一係合部と前記第二係合部の他方よりも長さが短く、
前記開閉カバーが前記閉じ位置から前記開き位置に向かう前記移動方向へ進むにつれて前記軸線方向の前記他端側から前記一端側へ向かうように傾斜し、前記付勢部材の付勢力により前記第二被係合部と当接して、前記開閉カバーを前記閉じ位置へ付勢する第一傾斜面を有する
ことを特徴とする画像形成装置。
【請求項２】
前記付勢部材の付勢力に抗して前記連結部を前記軸線方向の前記一端側へ移動可能とするロック解除部材が前記画像形成装置の本体に備えられていることを特徴とする請求項１に記載の画像形成装置。
【請求項３】
前記第一係合部は、前記第一凸部の前記移動方向の前記開き位置側の端部に設けられていることを特徴とする請求項１又は請求項２に記載の画像形成装置。
【請求項４】
前記第一係合部は、前記開閉カバーが前記閉じ位置から前記開き位置に向かう前記移動方向へ進むにつれて前記軸線方向の前記一端側から前記他端側へ向かうように傾斜し、前記第一被係合部と当接することで前記付勢部材の付勢力に抗して前記第一係合部が前記軸線方向の前記一端側へ移動するようにした第二傾斜面を有する
ことを特徴とする請求項１〜３のいずれか１項に記載の画像形成装置。
【請求項５】
前記第二係合部は、前記第二凸部の前記移動方向の前記開き位置側の端部に設けられていることを特徴とする請求項１〜４のいずれか１項に記載の画像形成装置。
【請求項６】
前記第二係合部は、前記開閉カバーが前記閉じ位置から前記開き位置に向かう前記移動方向へ進むにつれて前記軸線方向の前記一端側から前記他端側へ向かうように傾斜し、前記第二被係合部と当接することで前記付勢部材の付勢力に抗して前記第二係合部が前記軸線方向の前記一端側へ移動するようにした第三傾斜面を有する
ことを特徴とする請求項１〜５のいずれか１項に記載の画像形成装置。
【手続補正２】
【補正対象書類名】明細書
【補正対象項目名】０００６
【補正方法】変更
【補正の内容】
【０００６】
前記目的を達成するための本発明に係る画像形成装置の代表的な構成は、画像形成装置の本体と、前記本体に設けられた開口を覆う閉じ位置と、前記開口を露出する開き位置と、を取りうるように前記本体に対して軸を中心として回動可能に設けられた開閉カバーと、前記軸の軸線方向に延びる連結部と、前記連結部を前記軸線方向の他端側へ付勢する付勢部材と、それぞれ前記連結部から前記開閉カバーが前記閉じ位置から前記開き位置に向かう移動方向へ突出した第一凸部及び第二凸部と、を有し、前記開閉カバーを前記閉じ位置に保持する、前記本体に設けられたロック手段と、を備えた画像形成装置であって、前記開閉カバーは、前記軸線方向の一端側に設けられた第一被係合部と、前記軸線方向の他端側に設けられた第二被係合部と、を有し、前記ロック手段の前記第一凸部は、前記軸線方向の前記他端側へ突出し、前記開閉カバーの前記第一被係合部と係合する第一係合部を有し、前記ロック手段の前記第二凸部は、前記軸線方向の前記他端側へ突出し、前記開閉カバーの前記第二被係合部と係合する第二係合部を有し、前記第一係合部と前記第二係合部のいずれか一方は、前記軸線方向において、前記第一係合部と前記第二係合部の他方よりも長さが短く、前記開閉カバーが前記閉じ位置から前記開き位置に向かう前記移動方向へ進むにつれて前記軸線方向の前記他端側から前記一端側へ向かうように傾斜し、前記付勢部材の付勢力により前記第二被係合部と当接して、前記開閉カバーを前記閉じ位置へ付勢する第一傾斜面を有することを特徴とする。